(57)【要約】【課題】本発明の課題は、高い滑り止め効果及び安定した把持感触が得られることを可能にする筆記具の軸筒を提供することである。【解決手段】本発明は、軸筒の把持部に、軟質材からなるグリップを装着してなる筆記具の軸筒であって、前記グリップが、前記グリップの表面に、円周状に形成した凹部と、前記グリップの前記表面に形成され前記凹部によって周囲を囲われた丘部と、を備えた滑止部を、前記グリップの長手方向及び周方向に離間して複数個、設けてあることを特徴とする。【選択図】      図３
2014004772.tif 000002
【特許請求の範囲】
【請求項１】
軸筒の把持部に、軟質材からなるグリップを装着してなる筆記具の軸筒であって、前記グリップが、前記グリップの表面に、円周状に形成した凹部と、前記グリップの前記表面に形成され前記凹部によって周囲を囲われた丘部と、を備えた滑止部を、前記グリップの長手方向及び周方向に離間して複数個、設けてあることを特徴とする筆記具の軸筒。
【請求項２】
前記長手方向で異なる複数の滑止部が、前記軸筒の先端側に向かって凹部の開口面積を大きくしたことを特徴とする請求項１に記載の筆記具の軸筒。
【請求項３】
前記凹部の幅が、前記丘部の高さより大きいことを特徴とする請求項１または２に記載の筆記具の軸筒。
【発明の詳細な説明】
【技術分野】
【０００１】
本発明は、軸筒の把持部に、軟質材からなるグリップを装着してなる筆記具の軸筒に関する。
【背景技術】
【０００２】
従来から、軸筒の把持部に装着する軟質材からなる筆記具のグリップにおいて、把持した時の滑り止め効果を向上させることを目的として、グリップの外壁面に凹状または凸状に形成された凹凸部を有する筆記具のグリップはよく知られている。
【０００３】
こうした筆記具にグリップにあって、把持した時の滑り止め効果向上及び把持感触を向上させるために、特開平１０−１８１２７４号公報「筆記具のグリップ」や特開２００３−１５４７８２号「グリップ」等に開示されているように、グリップの外壁面に溝を形成している筆記具のグリップが開示されている。
【０００４】
また、特開２０００−３２６６８２号公報「筆記具の筆記軸体」では、適度なクッション効果を得るために、溝の形成位置や溝の深さや溝の幅等を特定することが開示されている。
【０００５】
【特許文献１】特開平１０−１８１２７４号公報
【特許文献２】特開２００３−１５４７８２号公報
【特許文献３】特開２０００−３２６６８２号公報
【発明の開示】
【発明が解決しようとする課題】
【０００６】
ところで、特許文献１〜３のように、溝を形成したグリップにおいてより高い滑り止め効果及び良好な把持感触を得るには、溝を形成することによって得られる板状突起を変形し易く形成することが重要であり、板状突起を変形し易くするためには、溝の幅や深さを大きくすること、あるいは使用する材質を軟らかいものにすることが考えられる。
【０００７】
しかしながら、溝の幅や深さを大きくするには、グリップ外径を大きくする必要があり、このために、小径のグリップ部材では溝の幅や深さを大きくすることは困難であった。また、使用する材質を軟らかいものにするために硬度を特定すると使用できる軟質材が制限されてしまう等の問題があった。
【０００８】
さらに、特許文献１〜３では、板状突起をグリップの円周方向など一定方向に並んで設けられており、板状突起が変形してグリップの軸線方向に倒れ込むことで滑り止め効果を得ているが、グリップの軸方向の抵抗が得られず、グリップの円周方向の一定方向の抵抗しか得られないという問題があった。
【０００９】
そこで、本発明の目的は、高い滑り止め効果及び安定した把持感触が得られることを可能にする筆記具の軸筒を提供することである。
【課題を解決するための手段】
【００１０】
上記目的を達成するために、本発明は、軸筒の把持部に、軟質材からなるグリップを装着してなる筆記具の軸筒であって、前記グリップが、前記グリップの表面に、円周状に形成した凹部と、前記グリップの前記表面に形成され前記凹部によって周囲を囲われた丘部と、を備えた滑止部を、前記グリップの長手方向及び周方向に離間して複数個、設けてあることを特徴とする。
【００１１】
また、前記長手方向で異なる複数の滑止部が、前記軸筒の先端側に向かって凹部の開口面積を大きくしたことを特徴とする。
【００１２】
また、前記凹部の幅が、前記丘部の高さより大きいことを特徴とする。
【００１３】
また、前記丘部の表面が、径方向で隣接する他のグリップ表面と、略同一円状に位置することを特徴とする。
【００１４】
本発明の軟質材には、弾性変形可能なシリコーンゴム、天然ゴム、ブチルゴム、フッ素ゴム、塩化ビニル樹脂、ブタジエンゴム、ウレタンゴム、ポリエチレン樹脂、その他合成ゴム、熱可塑性エラストマー等、筆記具のグリップとして一般的に知られているゴム状弾性を示す軟質材のなかから適宜選定して用いることができる。
【００１５】
本願発明の第１の構成によれば、前記グリップの表面に、円周状に形成した凹部と、前記グリップの前記表面に形成され前記凹部によって周囲を囲われた丘部と、を備えた滑止部を、前記グリップの長手方向及び周方向に離間して複数個、設けているので、グリップを把持する指の面に、凹部が円周状に当接するために、長手方向及び周方向の何れの方向、すなわち３６０度方向において高い滑り止め効果を奏することが可能となる。また、グリップを把持する指の面に、凹部と丘部が同時に当接することで凹凸による滑り止め効果も高く、丘部が指で把持され把持力により変形しても、円周状の凹部によって周囲を囲われているため、３６０度方向において安定した把持感触を得ることができる。これらの結果、グリップを把持する指の面を円滑に確実になじませることが可能となり、３６０度方向において、高い滑り止め効果及び安定した把持感触を得ることが可能になる。
【００１６】
尚、凹部は、長手方向において、同一幅で円周状に設けることが好ましく、楕円形や長円形などで周設してあっても良いが、略正円形とすることが最も好ましい。また、丘部の形状も裁頭円錐形や円柱など適宜選定して用いることができる。
【００１７】
本願発明の第２の構成によれば、前記長手方向で異なる複数の滑止部が、前記軸筒の先端側に向かって凹部の開口面積を大きくしてあるので、実際の使用状態において効果的に滑り止め作用を得ることができる。これは、グリップを筆記具の軸筒に装着して、使用者がグリップを把持して筆記すると、使用者の指の筆圧は、グリップを握ろうとする軸筒求心方向への力と、筆記先端部を紙面に押し付けようとする筆記具の先端側への力とが必要となる。そのため、使用者の指は、軸筒に対し筆記具の先端側に滑ろうとするが、筆記具の先端側に向かって凹部の開口面積が大きくなるため、指の面が凹部に潜り込み、凹部と指との接触面積が増加し、前方への指の滑りを効果的に防ぐことができるためである。尚、凹部の開口面積を大きくするには、同一外径で溝幅を大きくすること及び／または同一溝幅で外径を大きくする等が挙げられるが、指の滑りを効果的に防ぐには、溝幅及び外径を大きくすることが好ましい。
【００１８】
本願発明の第３の構成によれば、前記凹部の幅が、前記丘部の高さより大きくしてあるので、丘部が指で把持され把持力により変形しても、凹部を超えて他のグリップの外面と接触することがないため、安定した把持感触を得ることが可能になる。尚、前記丘部の高さとは、凹部の底面から前記丘部の表面までの最大高さを示すものである。
【発明の効果】
【００１９】
本発明は、高い滑り止め効果及び安定した把持感触が得られることを可能にする筆記具の軸筒を提供することができた。
【図面の簡単な説明】
【００２０】
【図１】本願発明の筆記具の軸筒の一実施形態を示す図である。
【図２】図１における上面から見た外観図である。
【図３】図２における一部省略した要部拡大外観図である。
【図４】図１におけるＡ−Ａ断面図である。
【発明を実施するための形態】
【００２１】
次に図面を参照しながら、本発明の筆記具の軸筒を説明するが、本発明は以下の実施形態に限定されるものではない。
【００２２】
次に図１〜図４を参照して、本実施形態に係る筆記具の軸筒１について説明する。
この筆記具の軸筒１は、前軸２と後軸３を螺着して軸筒本体を形成する。前軸２の把持部は、外径が小径に形成してあり、この把持部に、グリップ４を装着してある。
【００２３】
また、軸筒本体内に、インキ収容筒１１の先端部に、ボールペンチップ１２を装着したボールペンレフィルをコイルスプリング８によって後方に付勢して収納してあり、後軸３内に具備した回転カム７による出没機構によって、ノック体６を押圧することで、ボールペンチップ１２の先端部を前軸２の先端開口部２Ａから出没可能とした出没式筆記具の軸筒としてある。尚、図示はしてないが、インキ収容筒１１内には、剪断減粘性を有する水性ボールペン用インキと、このインキ後端に、グリース状のインキ追従体を直詰めしてある。また、後軸３には、クリップ９をコイルスプリング１０によって、クリップ９の先端部を後軸３の外周面に圧接して配設してある。
【００２４】
グリップ４は、ショアー硬度がＨｓ（ＪＩＳ  Ａ）７０の着色透明のオレフィン系熱可塑性エラストマーを軟質材として用い射出成形で形成したものである。グリップ４はほぼ円筒形状を有する。
【００２５】
グリップ４の表面には、周方向で非連続、長手方向において円周状に形成した凹部５Ａと、この凹部５Ａによって周囲を囲われた丘部５Ｂと、を備えた滑止部５を設けてある。この滑止部５は、所定ピッチＰで長手方向に４箇所配列し、周方向に所定角度αピッチで６個、形成されている。
【００２６】
また、本実施の形態では、周方向では、凹部５Ａ及び丘部５Ｂが同形の滑止部５を６個、設けてあり、長手方向では、凹部５Ａの溝幅（Ｍ、Ｎ）及び溝外径（Ｇ、Ｈ）を先端方向に向かって大きく（Ｍ＞Ｎ、Ｇ＞Ｈ）、及び丘部５Ｂの外径も先端方向に向かって大きくしてある。また、個々の滑止部５において、凹部５Ａの幅（Ｍ、Ｎ）は、丘部５Ｂの高さＬより大きくしてある。尚、本実施の形態では、凹部５Ａの深さは同一としてある。
【００２７】
また、丘部５Ｂの表面は、径方向において隣接する滑止部５間の他のグリップ表面と、略同一円周状としてある。尚、長さピッチＰとは、図１に示すように、長手方向に隣接する２つの滑止部５間の間隔を示し、角度ピッチ（α）は、図４に示すように周方向で隣接する２つの滑止部５間の間隔を示す。
【００２８】
滑止部５について詳述すると、実際の筆記時には軸方向Ｊが紙面に対し垂直ではなく筆記角度が生じるため、筆圧は軸方向Ｊに対して平行又は垂直に加わるだけでなく、親指と人差し指が閉じる方向等、様々な把持力が加わる。このために、長手方向において円周状に形成した凹部と、この凹部によって周囲を囲われた丘部と、を備えた滑止部によって、３６０度方向において滑り止め効果が高い。また、滑止部５において、凹部５Ａと丘部５Ｂとの段差を有するために、表面積（接触面積）が増加し、さらに、例えば軸心方向Ｊにおいて、先端開口部２Ａ側に把持力が加わっても、滑止部５の２箇所の段差Ｓ、Ｔにて滑り止め効果を高めることができる。
【００２９】
尚、本実施形態では、軸筒本体の把持部に装着するのに、グリップと軸筒本体と２色成形により一体に形成しているが、予めグリップを成形して、その後、軸筒本体と装着してもよい。グリップと軸筒本体とを２色成形する場合には、グリップのゲート位置を滑止部にすることで、外観からゲート跡を目立ちにくくすることができ、丘部の表面にゲート位置を設けることで、ゲート切れを良化することが可能となる。
【００３０】
また、グリップ４の形状としては、軸方向Ｊに同じ径を有する厳密に円筒形状であることに限定されず、軸方向Ｊに対して半径が多少変動している場合、例えば、樽状等の場合であってもよい。また、円筒形状に限らず、角筒形状であってもよい。
【００３１】
更に、所定長さピッチ（Ｐ）、所定角度ピッチ（α）は、グリップの全長や外径等を考慮して適宜選択することができるが、把持した指が当接する間隔を考慮して、試行実験を行った結果によれば、個人差等をも考慮すると、滑止部の外径は１．０ｍｍ〜３．０ｍｍ、所定長さピッチは２．０ｍｍ〜５．０ｍｍ、所定傾斜角度は３０度から６０度の範囲にあることが好ましいことが確認された。また、凹部の溝幅や深さも特に限定されるものではないが、凹部の幅が、丘部の高さより大きくすることが好ましく、凹部の底面は平坦状や円弧状等、特に限定されるものではない。
【産業上の利用可能性】
【００３２】
本発明の筆記具の軸筒は、筆記体の種類やノック式、キャップ式に限定されることなく、軸筒の軸筒として広く実施可能である。
【符号の説明】
【００３３】
１  筆記具の軸筒
２  前軸
２Ａ  先端開口部
３  後軸
４  グリップ
５  滑止部
５Ａ  凹部
５Ｂ  丘部
６  ノック体
７  回転カム
８  コイルスプリング
９  クリップ
１０  コイルスプリング
１１  インキ収容筒
１２  ボールペンチップ
１３  チップホルダー
Ｊ  軸心
Ｐ  長手方向のピッチ
α  周方向の角度
Ｍ、Ｎ  滑止部の外径
ｍ、ｎ  滑止部の凹部の幅
Ｓ、Ｔ  段差
【図１】
2014004772.tif 000003
【図２】
2014004772.tif 000004
【図３】
2014004772.tif 000005
【図４】
2014004772.tif 000006